(57)【要約】【課題】  シュリンクフィルムでカメラユニット本体を被覆するレンズ付きフィルムユニットにおいて、シュリンクフィルムに好ましい外観の開口を形成できるレンズ付きフィルムユニットを提供する。【解決手段】  カメラユニット本体のシュリンクフィルムの開口を形成する位置に、開口の輪郭形状に一致する形状の溝を設ける。【選択図】        図２
2005338228.tif 000002
【特許請求の範囲】
【請求項１】
未露光の写真撮影フィルムを内蔵し撮影レンズなどの撮影機構を有するカメラユニット本体を、開口を有するシュリンクフィルムで被覆したレンズ付きフィルムユニットにおいて、
前記カメラユニット本体は、前記シュリンクフィルムの開口を形成する位置に開口の輪郭形状に一致する形状の溝を有することを特徴とするレンズ付きフィルムユニット。
【発明の詳細な説明】
【技術分野】
【０００１】
本発明は、カメラユニット本体をシュリンクフィルムで被覆したレンズ付きフィルムユニットに関する。
【背景技術】
【０００２】
レンズ付きフィルムユニットは、撮影レンズ等の撮影機構を備えたカメラユニット本体に未露光の写真撮影用フィルムを予め装填した写真撮影用フィルム入りの簡易カメラである。ユーザーの撮影が終了したレンズ付きフィルムユニットはカメラ店にてフィルムが取り出されて、現像、プリントされる。フィルムが取り出されたレンズ付きフィルムユニットは、メーカーに回収された後分解、検査され、リユース可能な部材は新たなカメラユニット本体組み込まれ再使用する、リユース不可能な部材は例えば樹脂部品であれば粉砕して樹脂成形用材料として再利用する、など省資源化、省エネルギ化を図るとともに、廃棄を極力減らすことによる環境への配慮がなされている。
【０００３】
このレンズ付きフィルムにおいて、防水、防塵による機能向上、あるいは、カメラユニット本体の汚れ、傷を防止することによる前記部材の再利用の容易化に有効な技術として開示されている（特許文献１）。しかし、撮影レンズ前面の撮影光路上にシュリンクフィルムが存在すると、シュリンクフィルムにより撮影レンズの結像性能を損なう場合があるので、撮影レンズ前面はシュリンクフィルムによる被覆を避けことが多い。例えば、シュリンクフィルムに予めカメラユニット本体における撮影レンズ位置に対応する部分は被覆しない様に開口を設けて、その開口に撮影レンズが合致する様にカメラユニット本体を組み合わせることにより、撮影レンズの前面にシュリンクフィルムを存在させないようにすることができる。しかし、シュリンクフィルムは収縮させたると開口の位置がズレたり、開口の形状が変形したりすることがあり、製品に必要な外観品位を満たせなくなる場合がある。このために収縮させた後の開口部を覆うような部材を設け、外観品位を保つ技術（特許文献２）が開示されている。このような、新たな部材により、開口部を覆うような構成では、新たな部材を必要とするので構造が複雑化すること、また取り付け工数も増加するという不具合がある。また、シュリンクフィルムに開口を設けず、収縮させたシュリンクフィルムの撮影レンズの前面部分をカッタ等の手段により切除することにより、撮影レンズの前面からシュリンクフィルムを除去することは可能であるが、切除作業が難しく、カッタによりカメラユニットの表面をを傷つける、あるいは、カッタのブレによりシュリンクフィルムの切断された端面が見苦しくなり、好ましい外観品位が得られない等の不具合がある。
【特許文献１】実開平３−６０３４２号公報
【特許文献２】特開平５−２６５１４１号公報
【発明の開示】
【発明が解決しようとする課題】
【０００４】
本願発明は、前述のようなシュリンクフィルムでカメラユニット本体を被覆するレンズ付きフィルムユニットにおいて、シュリンクフィルムに好ましい外観の開口を形成できるレンズ付きフィルムユニットを提供することを課題とする。
【課題を解決するための手段】
【０００５】
本願発明者はシュリンクフィルムに開口を形成するにあたり、カメラユニット本体の開口を必要とする範囲を囲む溝を形成し、その溝に沿ってシュリンクフィルムを切除することにより正確に、美しい切断面を有する開口を形成できることを見出した。本発明は、特許請求の範囲に記載の下記の構成により達成される。
すなわち、
「〔請求項１〕未露光の写真撮影フィルムを内蔵し撮影レンズなどの撮影機構を有するカメラユニット本体を、開口を有するシュリンクフィルムで被覆したレンズ付きフィルムユニットにおいて、前記カメラユニット本体は、前記シュリンクフィルムの開口を形成する位置に開口の輪郭形状に一致する形状の溝を有することを特徴とするレンズ付きフィルムユニット。」というものである。
【発明の効果】
【０００６】
本発明により、開口を有するシュリンクフィルムで被覆するレンズ付きフィルムユニットにおいて、シュリンクフィルムの好ましい開口を有するレンズ付きフィルムユニットを提供することを可能になる。
【発明を実施するための最良の形態】
【０００７】
以下、本発明におけるレンズ付きフィルムユニットの実施形態の例を、各図を参照しながら説明する。
【０００８】
図１は本発明の一つの例であるレンズ付きフィルムユニットを示す斜視図である。
【０００９】
図１に示す様に、レンズ付きフィルムユニット１０は、カメラユニット本体１００とそれを被覆するシュリンクフィルム２００から成る。シュリンクフィルム２００は加熱することにより収縮する特性を有する透明なプラスチックフィルムであり、筒状に形成された内側に図２に示すカメラユニット本体１００を挿入した後、熱風により加熱して収縮させるとカメラユニット本体１００に密着、被覆し、図１の形態となる。ここで、シュリンクフィルム２００は撮影レンズ前面部に開口を有しており、撮影レンズ１１０はシュリンクフィルム２００により被覆されていない。
【００１０】
図２はカメラユニット本体１００であり、前面に、撮影レンズ１１０、ファインダー１２０を、上面にレリーズ釦１３０を、背面にフィルム巻き上げ操作のための非図示のフィルム巻き上げノブを備えている。また、カメラユニット本体１００の内部はシャッタ機構により通常は光密状態に保たれており、写真撮影用フィルムが装填されている。また、カメラユニット本体１００の撮影レンズ１１０の周囲には、撮影レンズ１１０前面に形成するシュリンクフィルム２００の開口の輪郭に沿って溝１０１が形成されている。
【００１１】
図１に示すレンズ付きフィルムユニットでは、ユーザがレリーズ釦１３０を操作するとシャッタシャッタ機構が開放し、撮影レンズ１１０を通して被写体像を写真撮影用フィルムの表面に結像し撮影が行われる。シュリンクフィルム２００は柔軟性を有するので、ユーザのレリーズ釦１３０操作を妨げることはない。また前述の様に撮影レンズ１１０はシュリンクフィルム２００の開口を通して被写体像を結像するので、撮影レンズ１１０の結像作用にシュリンクフィルム２００により影響を与えることはない。
【００１２】
図３はカメラユニット本体１００の撮影レンズ１１０とその周辺部の拡大図である。図３（ａ）に示す様にカメラユニット本体１００の前面の撮影レンズ１１０を囲む範囲には、撮影レンズ１１０の周囲に、開口の輪郭線に沿って溝１０１が形成されている。本実施例では開口は撮影レンズ１１０の光軸を中心とする円形であり、溝１０１の形状は、円形の開口のの輪郭に合致する撮影レンズ１１０の光軸を中心とする円形をなしている。
【００１３】
図３（ｂ）は溝１０１の形状を示す拡大断面図である。図３（ｂ）に示す様に、溝１０１はその断面形状が幅Ｗ、深さＤの三角形をなす形状で形成されている。本実施例にあってはＷ＝０．８ｍｍ、Ｄ＝１ｍｍの２等辺三角形をなす形状で形成されている。
【００１４】
図４（ａ）は熱収縮させる前のシュリンクフィルム２００とカメラユニット１００を示す図である。熱収縮させる前のシュリンクフィルム２００は薄肉の筒型形状をなしており、この筒型形状のシュリンクフィルム２００にカメラユニット１００を挿入し、熱風により加熱する。図４（ｂ）は加熱されたシュリンクフィルム２００が収縮し、カメラユニット１００に密着し、被覆した状態を示す。この状態では、撮影レンズ１１０もシュリンクフィルム２００で被覆されている。カメラユニット１００に設けた溝１０１はシュリンクフィルムを通して観察可能である。
【００１５】
シュリンクフィルム２００の開口は、溝１０１に沿って開口部分のシュリンクフィルムをカッタを用いて切除することにより形成する。溝１０１の位置でカッタの刃先をシュリンクフィルム２００を溝１０１まで貫通して、さらに溝１０１に沿って操作して図５に示す様に溝１０１に囲まれる部分のシュリンクフィルム２０１を切除することにより、必要とする形状、寸法の開口を形成できる。シュリンクフィルム２００を切除するにあたり、溝１０１がカッタのガイドの機能を果たすため、カッタのブレがなく、シュリンクフィルム２００の開口を正確な形状で、かつ好ましい外観で形成することができる。また、カメラユニット本体を傷つけることもない。従って本発明を適用することにより、開口部周辺に特別な部材を追加する必要はない。すなわち、本発明により、開口を有するシュリンクフィルムで被覆するレンズ付きフィルムユニットにおいて、シュリンクフィルムの好ましい外観の開口を有するレンズ付きフィルムユニットを提供することを可能になる。
【００１６】
なお本実施例は、撮影レンズ部に円形の開口を形成に適用する事例について説明したが、開口の形状は円形に限定するものではない。また、撮影レンズ部以外に、巻き上げ操作部や、ファインダー部等に開口を形成する場合にも適用できることは言うまでもない。また溝の断面形状を実施例では２等辺三角形状としたが、カッタのガイドを可能とする形状であればこれにこだわるものではない。
【図面の簡単な説明】
【００１７】
【図１】本発明の一つの例であるレンズ付きフィルムユニットを示す斜視図である。
【図２】本発明の一つの例であるカメラユニット本体を示す図である。
【図３】カメラユニット本体の溝を示す拡大図および断面図である。
【図４】シュリンクフィルムによりカメラユニット本体を被覆する説明図である。
【図５】シュリンクフィルムの開口を形成する説明図である。
【符号の説明】
【００１８】
１０  レンズ付きフィルムユニット
１００  カメラユニット本体
１０１  溝
１１０  撮影レンズ
２００  シュリンクフィルム
【図１】
2005338228.tif 000003
【図２】
2005338228.tif 000004
【図３】
2005338228.tif 000005
【図４】
2005338228.tif 000006
【図５】
2005338228.tif 000007